(57)【特許請求の範囲】
【請求項１】
２つの立体顕微鏡光路内に、
顕微鏡本体と連結することができ、そこにカメラ用接続管が配置されている第１鏡筒ユニットと、
第１鏡筒ユニットに接して軸の周りを旋回できるように配置された、それぞれの光路の光軸の周りを旋回できる接眼レンズ鏡筒ユニットと結合している第２鏡筒ユニットと、
入射光線をそれぞれの接眼レンズ鏡筒ユニットの方へ反射させるそれぞれの立体顕微鏡光路内に配置されたアングルミラーと
が装備された角度調整可能な双眼傾斜視線および２つの立体顕微鏡光路を持つ立体顕微鏡用の三眼鏡筒であって；
三眼鏡筒の少なくとも１つの立体顕微鏡光路（３ｂ）内に、第２旋回軸（１０）の周りを旋回できるホルダ（１１）内で開放型屋根縁を持つアングルミラー（１７ｂ）と堅固に結合している転向素子（１３）が設置されていること、
および少なくとも１つの光路（３ｂ）内に旋回進入して転向素子（１３）に当る光路の光軸が、開放型屋根縁を持つアングルミラー（１７ｂ）の第１ミラー（１５ｂ）に当る立体顕微鏡光路（３ｂ）の光軸（５ｂ）と同じ平面上にあること、
を特徴とする三眼鏡筒。
【請求項２】
少なくとも１つの立体顕微鏡光路（３ｂ）をカメラ用接続管（６）の方へ転向させるため、転向素子（１３）が少なくとも１つの光路（３ｂ）内へ接続可能なように配置されていることを特徴とする、請求項１に記載の三眼鏡筒。
【請求項３】
ホルダ（１１）の第２旋回軸（１０）と、第２鏡筒ユニット（８）および接眼レンズ鏡筒ユニット（９ａ、９ｂ）が共にその周りを旋回し得る第１旋回軸（７）とが平行に並んでいて、それらが第１鏡筒ユニット（２）内で互いに離れた位置に配置されていることを特徴とする、請求項１に記載の三眼鏡筒。
【発明の詳細な説明】
【技術分野】
【０００１】
本発明は、接眼レンズに対して人間工学上好ましい観察角度の達成のため、一定の角度領域内で任意に角度調整することができるという三眼鏡筒に関する。
【背景技術】
【０００２】
立体顕微鏡による物体の観察および記録においては、立体顕微鏡の接眼レンズに対して人間工学上好ましい観察角度の実現のため、斜めからの両眼視線の傾斜角が限られた旋回領域内で任意に調整できることが望まれる。
【０００３】
ＤＥ２６  ５４  ７７８、ＤＥ３７  １８  ８４３およびニコン、ライカ、メイジテクノの会社情報および品目カタログから、人間工学上好ましい観察角度への調整のできる立体顕微鏡用旋回式双眼鏡筒が知られているが、しかしそれらは、例えば物体撮影カメラ用の組込接続管は持っていない。会社情報として、特に、ニコンの「旋回式双眼鏡筒」Ｐ−ＢＥＲＧ、ＳＭＺ、ライカの「エルゴ鏡筒」１０  ４４５  ８２２およびメイジテクノの「双眼エルゴ鏡筒ヘッド」ＭＡ７４９が紹介されている。
【０００４】
一方、カメラ用接続管の組み込まれた立体顕微鏡鏡筒の場合、接眼レンズへの観察角度が調整できない角度固定型の鏡筒から成っている。これに属するものとして、例えばオリンパスの「三眼鏡筒」ＳＺＸ−Ｔｒ３０、ライカの「ビデオ／カメラ用三眼鏡筒」５０％−１０  ４４５  ９２４および「ビデオ／カメラ用三眼鏡筒」１００％−１０  ４４６  ２２９が挙げられる。
【０００５】
ＤＥ３５  ０８  ３０６には、立体光路のない標準顕微鏡であっても、光路をカメラ用接続管の方へ転向させる可能性のあることが記載されている。その場合転向は、鏡筒光学系および観察角度調整のための転向素子の前に配置された、当該光路への接続、遮断切換のできるミラーによって行われる。
【特許文献１】ＤＥ  ３５  ０８  ３０６
【特許文献２】ＤＥ  ２６  ５４  ７７８
【特許文献３】ＤＥ  ３７  １８  ８４３
【発明の開示】
【発明が解決しようとする課題】
【０００６】
本発明では、接眼レンズに対する双眼傾斜観察角度を調整することができて、傾斜視線の任意の場所で立体顕微鏡両光路の少なくとも１つを簡単な手段によりカメラ接続管に導き入れることのできる三眼鏡筒を創出することを基本課題においている。
【課題を解決するための手段】
【０００７】
この課題は、本発明に関する特許請求項１のプレアンブルに基づき形成された三眼鏡筒では、同請求項の特徴部分に開示された手段によって解決される。従属請求項には本発明のその他の実施態様および詳細が開示されている。
【発明の効果】
【０００８】
本発明に基づく三眼鏡筒により、立体顕微鏡において物体の視覚観察および写真撮影またはデジタル写真撮影が同時に行える。
【０００９】
また、立体顕微鏡光路の少なくとも１つをカメラ接続管へ転向させる目的で、立体顕微鏡の少なくとも１つの光路内に転向素子を設置するのも有利である。
【００１０】
ホルダの旋回軸と、第２鏡筒ユニットおよび接眼レンズ鏡筒ユニットが共にその周りを旋回し得る軸とが平行に並んでいて、それらが第１鏡筒ユニット内で互いに離れた位置に配置されていれば、本発明が労せずに簡単に実現できる。
【００１１】
本発明により、傾斜角度の制限された旋回領域内で任意に調整または変更できる双眼傾斜視線を持ち、また立体チャネルの光路をそれぞれ可能な傾斜角度で傾斜角調整可能な双眼傾斜視線へ、またはビデオカメラ、デジタルカメラまたは通常型カメラ用の接続管へ誘導するという、立体チャネル内で簡単な方法により切換えることのできる転向素子を持つ三眼鏡筒が初めて実現される。この解決策は、ただ１つの立体顕微鏡で上記の両機能が、鏡筒の追加装備の必要なしに互いに組み合わされるので、使用者にとって非常に有利である。
【発明を実施するための最良の形態】
【００１２】
実施例の説明では、立体顕微鏡の一方の光路に配置された素子にはすべて数字と文字“ａ”で、第２光路の素子には数字と文字“ｂ”で表示している。
【００１３】
図１および図２は、それぞれ異なった機能設定における本発明に基づく三眼鏡筒の基本構造を示している。
図１から見て取れるように、好ましくは取換式の第１鏡筒ユニット２が立体顕微鏡本体１と結合している。この第１鏡筒ユニット２に、対物レンズ（図示されていない）からの光路、つまり、図では５ａおよび５ｂと表示された光軸を持つ立体顕微鏡光路３ａおよび３ｂ（図３および図４）が、それぞれ結像レンズ４ａおよび４ｂ（図３および図４）を通して導き入れられる。両光路のうちの１つ、実施例で言えば光路３ｂの方の第１鏡筒ユニット２に、カメラまたはその他撮像機器接続のための接続管が装備されている。
【００１４】
鏡筒ユニット２内には第１旋回軸７も配置されていて、その周りに第２鏡筒ユニット８が旋回可能なように設置されている。その位置ではそれぞれ光路３ａおよび３ｂに割当てられた接眼レンズ鏡筒ユニット９ａおよび９ｂが、観察者の眼の距離に調整できるように、それぞれ光軸５ａ、５ｂの周りに回転可能なように配置されている。ただし、接眼レンズ鏡筒ユニット９ａは図１および図２には現われない。図１および図２では、それは接眼レンズ鏡筒ユニット９ｂの背後になるからである。
【００１５】
第１鏡筒ユニット２には、さらに、第２旋回軸１０の周りを旋回できるホルダ１１が、光路３ａまたは３ｂのうちの少なくとも１つの光路内に、実施例で言えば光路３ｂ内に設置されていて、その位置に、２つのミラーから成り開放型屋根縁を持つアングルミラー１７ｂおよびミラー形態または転向プリズム形態の転向素子１３が配置されている。
接続管６には、カメラ光路を９０°転向させる転向プリズム１４を設置するのが有利である。
【００１６】
図１には、アングルミラー１７ｂおよび転向素子１３を持つホルダ１１が立体顕微鏡観察に使用される場合の位置が示されている。
図２は、立体顕微鏡光路の１つ、光路３ｂが転向素子１３を通されて接続管６に導き入れられたときのホルダ１１の位置を示している。
【００１７】
図３および図４はＴＮＴ光学システムの両機能位置における基本構造を示している。立体顕微鏡本体１から来た顕微鏡光路３ａおよび３ｂは結像レンズ４ａおよび４ｂを通り抜ける。
【００１８】
図３は立体顕微鏡による視覚観察における顕微鏡光路を示している。それより見て取れるように、光路３ａは、開放型屋根縁を持つアングルミラー１７ａの素子１５ａおよび１６ａに順次到達し、９０°型プリズム１８ａおよび回転ミラー１９ａを経て、第２鏡筒ユニット８の傾斜角次第では、鏡筒ユニット８に配置されている偏菱形プリズム２０ａを通り、そこから立体顕微鏡の光路３ａ側の接眼レンズ２１ａの方に導かれる。
【００１９】
光路３ｂは、開放型屋根縁を持つ第２アングルミラー１７ｂの素子１５ｂおよび１６ｂに順次到達し、第２の９０°型プリズムおよびもう１つの回転ミラー１９ｂを経て、第２鏡筒ユニット８の傾斜角次第では、同じく鏡筒ユニット８に配置されているもう１つの偏菱形プリズム２０ｂを通り、そこから立体顕微鏡の第２光路３ｂ側の接眼レンズ２１ｂの方に導かれる。
【００２０】
個々の光学構成素子から成る当装置では、両接眼レンズ２１ａおよび２１ｂにより上下左右の合った物体像が観察される。開放型屋根縁を持つ両アングルミラー１７ａおよび１７ｂが図３に描かれたポジションを取る場合、光が転向プリズム１４を通って接続管６へ導かれることはない。
【００２１】
図４は、立体顕微鏡光路の１つが、実施例で言えば光路３ｂが、接続管６に配置された撮像カメラ（図示されていない）による物体の結像のために接続管６に引き入れられた場合の個別光学構成素子のポジションを示している。立体顕微鏡光路３ｂの構造および当光路３ｂにおける光学構成素子のポジションは、図３との関係で述べた配置と同様である。
光路３ｂでは、当光路を接続管６に引き入れるため、ホルダ１１を第２軸１０の周りで旋回させてアングルミラー１７ｂの素子１５ｂおよび１６ｂを光路から遠ざけ、同時に転向素子１３を光路３ｂ内へと旋回させる。
【００２２】
したがって、その傾斜角が限られた旋回領域内で任意に調整または変更できる双眼傾斜視線を持つ立体顕微鏡の場合、本発明に基づく三眼鏡筒によれば、顕微鏡光路を簡単に切り換えることのできる転向素子１３により、双眼傾斜視線の角度設定には関わりなく物体を一方の光路３ａで視覚観察でき、同時にもう一方の光路３ｂで写真撮影することが可能である。このようにして、ただ１つの立体顕微鏡鏡筒において両機能を相互に組み合わせることができる。
【図面の簡単な説明】
【００２３】
【図１】旋回可能なミラー用ホルダ付き双眼式立体顕微鏡観察装置の実施例
【図２】転向された立体光路における旋回可能なミラー用ホルダ付き装置の実施例
【図３】双眼観察における三眼鏡筒光学素子の位置。
【図４】立体光路をカメラ用接続管へ転向させた場合の三眼鏡筒光学素子の位置。
【符号の説明】
【００２４】
１      本体
２      第１鏡筒ユニット
３ａ、３ｂ      光路
４ａ、４ｂ      結像レンズ
５ａ、５ｂ      光軸
６      接続管
７      第１旋回軸
８      第２鏡筒ユニット
９ａ、９ｂ      接眼レンズ鏡筒ユニット
１０      第２旋回軸
１１      ホルダ
１３      転向素子
１４      転向プリズム
１５ａ、１５ｂ      素子
１６ａ、１６ｂ      素子
１７ａ、１７ｂ      アングルミラー
１８ａ、１８ｂ      ９０°型プリズム
１９ａ、１９ｂ      回転ミラー
２０ａ、２０ｂ      偏菱形プリズム
２１ａ、２１ｂ      接眼レンズ
【図１】
0004617517.tif 000002
【図２】
0004617517.tif 000003
【図３】
0004617517.tif 000004
【図４】
0004617517.tif 000005